(57)【要約】【課題】簡単な構造で収納物を確実に保持し、外部からの衝撃から保護可能な容器を提供すること。【解決手段】ヒンジ部４０を介して蓋４１と一体に形成した樹脂製の容器１０において、容器の底部２１および蓋４１にそれぞれ、例えばファン装置などの収納物に設けられたネジ孔等の凹部１２と嵌合する複数の突起２２を備え、収納物の表面と容器の内面との間に隙間が生じるように、収納物が突起２２によってのみ支持される。突起２２は例えば底部が凹部１２の径よりも大きな円錐形である。本考案の容器は、簡単な構造で安価に製造でき、収納物を確実に保持し、外部からの衝撃から保護可能である。【選択図】図１
0003119615.tif 000002
【実用新案登録請求の範囲】
【請求項１】
容器と蓋とを一体に形成した樹脂製の容器において、
前記容器の底部および蓋にそれぞれ、収納物に設けられた凹部と嵌合する複数の突起を備え、収納物の表面と容器の内面との間に隙間が生じるように、収納物が前記突起のみによって支持されることを特徴とする容器。
【請求項２】
前記凹部は円筒形状の孔であり、前記突起は底部が前記孔の径よりも大きな円錐形であることを特徴とする請求項１に記載の容器。
【請求項３】
前記収納物はファン装置であり、前記凹部はファン装置を固定するための四隅のネジ孔であり、前記突起は前記ネジ孔と嵌合することを特徴とする請求項１に記載の容器。
【考案の詳細な説明】
【技術分野】
【０００１】
本考案は容器に関するものであり、特に収納物を確実に保持可能な容器に関するものである。
【背景技術】
【０００２】
従来、例えばパソコン用のファン装置等の収納物を収納する容器（パッケージ）としては、ダンボール等の紙製の容器等が使用されていた。しかし、紙製の容器においては、収納物が見えない、内部に別途位置を固定するための緩衝材が必要となる等の問題があった。そこで、透明な樹脂製の容器が各種提案されている。例えば下記特許文献１には、低コストの簡易な構造で施蓋が容易な、ヒンジ部３を介して容器本体１と蓋部２が一体成形された薄肉のポリプロピレン樹脂製包装用容器が開示されている。
【特許文献１】特開平０９−２０７９２７号公報
【考案の開示】
【考案が解決しようとする課題】
【０００３】
上記した従来の容器において、例えばパソコン用のファン装置等の収納物を収納した場合には、収納物が内部で確実に保持されずに移動し、破損や故障等の原因となるという問題点があった。また、収納物の表面が薄い容器を介して外面に接していると、積み重ねたり、落下した場合に内容物に直接衝撃等が伝わり、やはり破損等の原因となるという問題点があった。本考案の目的は、上記した従来の問題点を解決し、簡単な構造で収納物を確実に保持し、外部からの衝撃から保護可能な容器を提供する点にある。
【課題を解決するための手段】
【０００４】
本考案の容器は、容器と蓋とを一体に形成した樹脂製の容器において、前記容器の底部および蓋にそれぞれ、収納物に設けられた凹部と嵌合する複数の突起を備え、収納物の表面と容器の内面との間に隙間が生じるように、収納物が前記突起のみによって支持されることを主要な特徴とする。
【０００５】
また、上記した容器において、前記凹部は円筒形状の孔であり、前記突起は底部が前記孔の径よりも大きな円錐形である点にも特徴がある。
また、上記した容器において、前記収納物はファン装置であり、前記凹部はファン装置を固定するための四隅のネジ孔であり、前記突起は前記ネジ孔と嵌合する点にも特徴がある。
【考案の効果】
【０００６】
本考案の容器は、上記したような構成によって、簡単な構造で安価に製造でき、収納物を確実に保持し、外部からの衝撃から保護可能であるという効果がある。
【考案を実施するための最良の形態】
【０００７】
以下に、図面を参照して本考案の実施形態を説明する。なお、実施例としては収納物がパソコン用のファン装置である例を開示するが、本考案の容器は孔等の凹部を有する任意の収納物に適用可能である。
【実施例１】
【０００８】
図１は、本考案による容器の実施例の構成を示す横断面図（図３の点線Ａ−Ａ断面）である。また、図２は、本考案の容器の実施例の蓋を開いて収納物を収納／取り出す場合の断面図である。容器１０は収納部２０と蓋４１とがヒンジ部４０によって一体に連結されている。材料は透明なＰＥＴ樹脂でもよいが、その他の透明な公知の任意の樹脂を使用可能である。
【０００９】
容器の収納部２０の底部２１および蓋４１にはそれぞれ４カ所に円錐状の突起２２、４２が設けられている。この突起２２、４２は収納物であるファン装置１１の四隅の固定用のネジ孔１２と対向する位置に設けられている。そして、蓋４１を閉めた場合に、突起２２、４２の上部が孔１２と嵌合して、ファン装置１１の表面と容器１０の内面との間に隙間が生じるように、ファン装置１１が突起２２、４２のみによって支持される。突起２２、４２は底部がネジ孔１２の径よりも大きな円錐形である。
【００１０】
容器の側面２４、２５は容器を射出成形によって製造する場合に型から抜けやすくするために僅かに傾斜している。また、収納部２０および蓋４１の周囲には強度を保つためのリブ２６、４４が設けられており、蓋４１には強度を増すためおよび、容器１０を積み重ねた場合に容器１０の底部２１が係合する凹部４７が形成されている。
【００１１】
図３は、本考案の容器１０の蓋を開いた構成を示す平面図である。また、図４は、本考案による容器の実施例の構成を示す縦断面図（図３の点線Ｂ−Ｂ断面）である。容器の収納部２０は、しきり部３１によって、収納物であるファン装置１１を収納する部分とファン装置１１の接続コード１３を収納する部分に区切られている。
【００１２】
ファン装置１１を収納する部分の底部には、ファン装置１１の四隅の固定用のネジ孔１２と対向する位置に突起２２が設けられている。容器の側面２４、２５は僅かに傾斜している。突起２２の周囲は断面が半円形となっており、更にその両側には内側に突出した突起部２９が設けられている。この突起部２９は、通常は収納物とは接触しないが、大きな衝撃がかかった場合など、突起２２だけでは保持しきれなくなった場合に収納物を保持するための突起である。半円形部および突起部２９は容器の強度を増す機能も果たしている。
【００１３】
収納部２０の側面の内、下部に当たる一部の側面３０は底部２１に対して垂直に形成されている。これは、側面３０を下にして容器を垂直に立てて置けるようにするためである。図示された程度の側面３０を垂直に形成しても型から抜く時に問題はない。
【００１４】
収納部２０の周囲には強度を保つためのリブ２６が設けられており、リブ２６の四隅には収納部２０と蓋４１とを係合するための内部が円筒形状の凹部２７が設けられている。また、リブ２６の上部には容器をフックにかけるための孔２８が設けられている。
【００１５】
蓋４１には強度を増すためおよび容器１０を積み重ねた場合に容器１０の底部２１が係合する凹部４７が形成されている。凹部４７内のファン装置１１の四隅の固定用のネジ孔１２と対向する位置には４カ所に円錐状の突起４２が設けられている。
【００１６】
蓋４１の周囲には強度を保つためのリブ４４が設けられており、リブ４４の四隅には、収納部の凹部２７と対向する位置に、凹部２７と嵌合する円筒形状の凸部４５が設けられている。蓋４１を閉める場合には、この凸部４５を収納部の凹部２７に押し込むことによって固定する。蓋４１の上部には容器をフックにかけるための孔４６が設けられている。
【００１７】
以上のような構成によって、収納物がよく見え、かつ確実に保持される。そして、本来収納物を支持する目的で設けられているネジ孔によって収納物を支持することにより、収納物の他の部分に力がかからないので、破損や故障が減少する。更に、収納物と容器の間に隙間があるので、外部からの衝撃や容器のある程度の変形に対して収納物が破損し難くなる。
【００１８】
図５は、本考案による容器の実施例の突起の構成例を示す断面図である。図５（ａ）は、前記した突起２２、４２の底部がネジ孔１２の径よりも大きな円錐形６０である例である。
図５（ｂ）は突起２２、４２が２段に分かれている例であり、上部の円錐６１と下部の円錐台形６３の間にドーナツ状の平坦部６２を備えた例である。円錐６１および円錐台形６３は円筒形状でもよい。このようにすれば、収納物が図５の上下方向に押されても平坦部６２によって収納物をより確実に保持できる。
【００１９】
図５（ｃ）はやはり突起２２、４２が２段に分かれている例であり、上部の円筒６３と下部の円錐台形６６からなる例である。収納物の孔に嵌合する部分を円筒形状とすることにより、図５の左右方向から収納物に衝撃力がかかっても突起２２、４２を孔１２から押し出すような力が発生せず、突起２２、４２が収納物の孔１２から外れ難くなる。
【００２０】
図６は、本考案による容器を重ねた場合の構成を示す断面図である。容器１０を図示するように重ねた場合には、蓋４１の凹部４７に容器の収納部の底部２１が嵌り込み、横にずれないように構成されている。従って、店頭などにおいて容器を重ねて配置しても崩れにくくなる。
【産業上の利用可能性】
【００２１】
本考案はパソコン用のファン装置用の容器を始め、孔等の凹部を有する任意の収納物を収納する容器として利用可能である。
【図面の簡単な説明】
【００２２】
【図１】本考案による容器の実施例の構成を示す横断面図である。
【図２】本考案の容器の実施例の蓋を開いた場合の断面図である。
【図３】本考案の容器の蓋を開いた構成を示す平面図である。
【図４】本考案による容器の実施例の構成を示す縦断面図である。
【図５】本考案による容器の実施例の突起の構成例を示す断面図である。
【図６】本考案による容器を重ねた場合の構成を示す断面図である。
【符号の説明】
【００２３】
１０…容器
１１…ファン装置（収納物）
１２…ネジ孔
２０…収納部
２１…底部
２２…突起
２４、２５…側面
２６…リブ
４０…ヒンジ部
４１…蓋
【図１】
0003119615.tif 000003
【図２】
0003119615.tif 000004
【図３】
0003119615.tif 000005
【図４】
0003119615.tif 000006
【図５】
0003119615.tif 000007
【図６】
0003119615.tif 000008